(57)【要約】【課題】発生した鋳バリを除去する加工手間を低減できる金型を提供する。【解決手段】鋳造粗形材Ｈの仕上げ削り代部分Ｇの成型領域に対応するキャビティ面領域Ｅ内であり、かつ、仕上げ削り代部分の角部面取り面ｂに対向するキャビティ面領域Ｆ内に金型分割ラインＰＬを配置するとともに、金型分割ラインＰＬを挟んでキャビティ面と分割面ＰＳとが金型内部側にてなす角度（１２ｄ、１４ｄ）が９０度以上となるように分割面ＰＳを形成する。そのように分割ラインＰＬと分割面ＰＳが配された金型を用いると鋳バリが仕上げ削り代部分Ｇから発生するようになる。そのような鋳バリは仕上げ加工で除去できるので、鋳バリを除去するための専用工程が不要となる。【選択図】図４
2012071319.tif 000002
【特許請求の範囲】
【請求項１】
複数の金型を組み合わせてキャビティを形成する鋳造用金型セットであり、
鋳造対象の粗形材の予め定められた仕上げ削り代部分の成型領域に対応するキャビティ面領域内であり、かつ、前記仕上げ削り代部分の角部面取り面に対向するキャビティ面領域内に金型分割ラインが配置されているとともに、
金型分割ラインを挟んでキャビティ面と分割面とが金型内部側にてなす角度が、９０度以上となるように分割面が形成されていることを特徴とする鋳造用金型セット。
【請求項２】
粗形材の角部面取り面の端部に対応する位置に金型分割ラインが配置されていることを特徴とする請求項１に記載の鋳造用金型セット。
【請求項３】
請求項１又は２の鋳造用金型セットで成型された鋳造粗形材。
【請求項４】
鋳造用金型セットの分割面決定方法であり、
鋳造対象の粗形材の予め定められた仕上げ削り代部分の成型領域に対応するキャビティ面領域内であり、かつ、前記仕上げ削り代部分の角部面取り面に対向するキャビティ面領域内に金型分割ラインを配するとともに、
金型分割ラインを挟んでキャビティ面と分割面とが金型内部側にてなす角度が、９０度以上となるように分割面を決定することを特徴とする金型セットの分割面決定方法。
【発明の詳細な説明】
【技術分野】
【０００１】
本発明は、鋳造用金型セットに関する。
【背景技術】
【０００２】
鋳造では、複数の金型（金型セット）を組み合わせて閉空間（キャビティ）を形成し、そのキャビティに溶融金属を流し込んで鋳造品（鋳造粗形材）を成型する。金型の外面のうち、成型予定の粗形材の外形状と同じ形状を有し、キャビティを形成する面をキャビティ面と呼ばれる。また、一の金型と他の金型の合わせ面は、見切り面、あるいは分割面と呼ばれる。本明細書では「分割面」の語を用いる。隣接する金型同士のキャビティ面の境界、別言すればキャビティ面と分割面との交差線（稜線）は、分割ラインと呼ばれる。なお、本明細書でいう「金型」には、入り子も含まれる。また、本明細書では、鋳造用金型セットを単に金型セットと称する。
【０００３】
金型セットを用いた鋳造においては、キャビティに流し込んだ溶融金属が分割ラインから分割面に沿って浸入し、凝固する。この部分は鋳バリあるいは見切りバリと呼ばれる。鋳バリは不要な部分であるので鋳造後にこれを削り取る鋳バリ除去工程が必要となる。鋳バリ除去加工の手間を抑制することが、鋳造品製造工程の効率向上につながる。例えば、発生する鋳バリの大きさを小さくする技術が特許文献１に開示されている。特許文献１の技術は、発生する鋳バリの大きさが小さくなるように分割ラインに沿った金型形状を工夫するものである。
【先行技術文献】
【特許文献】
【０００４】
【特許文献１】特開平６−３１５７３６号公報
【発明の概要】
【発明が解決しようとする課題】
【０００５】
特許文献１の技術によっても鋳バリを完全になくすことはできない。従って鋳バリ除去加工は依然として必要である。本明細書は、鋳バリの発生そのものを抑制するのではなく、発生した鋳バリを除去する加工の手間を低減することのできる金型セットを提供する。
【課題を解決するための手段】
【０００６】
多くの場合、成型された粗形材に対して、特定の面を薄く精密に削り取る加工、いわゆる仕上げ加工が施される。本明細書が開示する技術は、この仕上げ加工に着目し、仕上げ加工にて鋳バリが除去できるように、分割ラインと分割面の位置を工夫する。
【０００７】
本明細書が開示する鋳造用金型セットの一実施形態は、次の特徴を有する。即ち、鋳造対象の粗形材の予め定められた仕上げ削り代部分の成型領域に対応するキャビティ面領域内であり、かつ、前記仕上げ削り代部分の角部面取り面に対向するキャビティ面領域内に金型分割ラインが配置されている（第１の特徴）。また、金型分割ラインを挟んでキャビティ面と分割面とが金型内部側にてなす角度が、９０度以上となるように分割面が形成されている（第２の特徴）。なお、「面取り」とは、通常、工作物の２つの側面が交差するエッジを斜めに削る加工法を指すが、本明細書では、鋳造粗形材の２つの側面が交差するエッジを斜めにカットした形状を鋳造するようにキャビティを構成し、そのカットした面を「角部面取り面」と称することにする。
【０００８】
第１の特徴によって、鋳バリが仕上げ削り代部分から発生するようにできる。従って、仕上げ加工にて鋳バリを除去できる。即ち、鋳バリ除去の専用工程を用意する必要がなくなる。ここで、分割ラインの位置を単に仕上げ削り代部分を成型するためのキャビティ面領域とするだけでなく、粗形材の角部面取り面に対向するキャビティ面領域内に限定したのは次の理由による。例えば、粗形材の直角な角部を成型するための金型部分に分割ラインを配置した場合を考える。即ち、２つのキャビティ面が直角をなして交差するその交線に分割ラインを配置する場合を考える。この場合、粗形材の直角の稜線に沿って鋳バリが生じる。直角を挟むいずれか一方の面を仕上げ加工する場合、かえりバリ（面の切削に伴って面端部に発生するバリ）が生じ易い。ここで、角部に鋳バリが発生していると、その鋳バリがタネとなってかえりバリが発生し易くなる。分割ラインの配置位置を粗形材の角部面取り面に対向するキャビティ面領域内に限定したのは、かえりバリの発生を抑制するためである。「角部面取り面」は、隣接する２つの面（典型的には直交する２つの面）が交差するエッジを落とした部分の面である。この部分では、隣接する２面が直角よりも大きい角度で接する。仕上げ加工面とこれに接する面とが直角よりも大きい角度をなす場合、かえりバリの発生が抑制される。
【０００９】
分割ラインの位置を決定しても、分割面の向きは様々に選定し得る。発明者は、分割面の向きにも配慮した。第２の特徴は、金型のキャビティ面と分割面とが金型内部側にてなす角度が鋭角とならないことを保証する。金型のキャビティ面と分割面との境界はキャビティ面のエッジに相当する。金型のキャビティ面と分割面とが金型内部側にてなす角度は、キャビティ面のエッジの角度に相当する。キャビティ面のエッジが鋭角であると、破損し易い。上記の分割面決定ステップは、キャビティ面のエッジが鋭角とならないことを保証し、金型のエッジの強度を確保する。
【００１０】
金型分割ラインは、粗形材の角部面取り面の端部に対応する位置に配置されていることが好ましい。そのような位置に分割ラインを配することによって、隣接する金型の夫々のキャビティ面エッジの角度の和は１８０度よりも大きくなる。エッジ角度の和が１８０度よりも大きければ、直角以上のエッジ角度を確保する場合に分割面の向きの選択肢が広がる。また、少なくとも一方は直角よりも大きいエッジ角度を確保できるので、エッジの強度が増大する。
【００１１】
さらに好ましくは、分割面が仕上げ加工面と略直角をなすようにその向きが決定されていることが好ましい。そのような配置によって、鋳バリは、仕上げ削り代部分の加工面から垂直に伸びるように発生する。そのような鋳バリは、仕上げ加工の初期できれいに切削される。従ってかえりバリの発生を一層抑制できる。
【００１２】
本明細書が開示する技術は、さらに、上記した金型セットで成型された鋳造粗形材を提供する。本明細書が開示する技術によって成型される鋳造粗形材は、鋳バリを除去する専用の加工工程が不要であるので低コストの鋳造品を提供することができる。
【００１３】
本明細書が開示する技術の一実施形態は、上記した金型セットを製造する方法（厳密には金型セットの分割面の決定方法）を提供する。その方法は、鋳造対象の粗形材の予め定められた仕上げ削り代部分の成型領域に対応するキャビティ面領域内であり、かつ、前記仕上げ削り代部分の角部面取り面に対向するキャビティ面領域内に金型分割ラインを配する。さらに、金型分割ラインを挟んでキャビティ面と分割面とが金型内部側にてなす角度が、９０度以上となるように分割面を決定する。
【発明の効果】
【００１４】
本明細書が開示する技術によれば、鋳バリを除去する加工の手間を抑制することができる。
【図面の簡単な説明】
【００１５】
【図１】実施例における鋳造粗形材の斜視図である。
【図２】鋳造粗形材の側面図である。
【図３】実施例における金型セットの断面図を示す。
【図４】図３の波線IVで囲まれた領域の拡大図を示す。
【図５】図３のV−Ｖ線に沿った断面図を示す。
【図６】図５の波線VIで囲まれた領域の拡大図を示す。
【図７】実施例の金型セットの変形例を説明する図である。
【実施例】
【００１６】
図１は、本実施例の金型セットで鋳造する鋳造粗形材Ｈの斜視図であり、図２は鋳造粗形材Ｈの側面図である。以下、鋳造粗形材Ｈを単に粗形材Ｈと称する。この粗形材Ｈは、両端にフランジＦを有する角柱である。粗形材Ｈは、両端のフランジＦの夫々に部品を連結する継ぎ手の中間製品である。継ぎ手は、粗形材Ｈの両端面を僅かに薄く精密に削り取る仕上げ加工を経て完成する。図２の符号Ｇが示す部分が仕上げ加工による削り代を示している。仕上げ加工による削り代部分Ｇは、予め定められている。
【００１７】
図３に鋳造粗形材Ｈを鋳造成形するための鋳造装置１０の模式的断面図を示す。なお、図１の鋳造装置は主として金型セットを示しているので、以下では、金型セットを説明する場合には「金型セット１０」と表現することがある。金型セット１０は、６個の金型を備える。６個の金型は、可動金型１８、固定金型１４、上部スライド金型１２、下部スライド金型１６、右スライド金型３０、左スライド金型３２である。６個の金型が組み合わされてキャビティＣ形成する。なお、右スライド金型３０と左スライド金型３２は、図３では紙面手前と奥に位置するので図示されておらず、図５に示されている。図５は、図３のＶ−Ｖ線に沿った断面図である。以下、図３に基づいて説明するので右スライド金型３０と左スライド金型３２の説明は省略する。それらの金型については後述する。
【００１８】
可動金型１８はダイベース２０に固定されている。ダイベース２０はアクチュエータ（不図示）によって図３の紙面左右方向に移動する。上部スライド金型１２と下部スライド金型１６は夫々作動ロッド２８に固定されている。作動ロッド２８は、ボールネジであり、モータに連動したナット（不図示）の回転に伴って、スライド金型を移動させる。図３は、金型セットが閉じた状態を示している（６個の金型のうち２個は不図示）。なお、図３では、夫々の金型の形状を理解し易いように隣接する２つの金型の間に隙間を描いてある。実際には、閉じた状態では隣接する金型同士はぴったりと密着する。閉じた夫々の金型が図３の矢印の方向に移動し、金型が開く。
【００１９】
金型セット１０が閉じるとキャビティＣが形成される。キャビティＣの形状は、粗形材Ｈの外形状と同じである。固定金型１４には溶湯（溶融金属）を一時的に貯めるスリーブ２２と、スリーブ内の溶湯をキャビティＣへと射出するプランジャ２４が連結されている。スリーブ２２内の溶湯は、湯道２６を通りキャビティＣへと射出される。
【００２０】
図３の破線IVは、隣接する金型の分割位置（分割ライン、分割面）を示している。破線B、Dも同様である。但し、破線Dが示す部分は、湯道２６が形成されている点で他の合わせ面と異なる。
【００２１】
図４は、図３の破線IVが示す部分の拡大図である。図３が示すように、破線IVが示す部分は巨視的には隣接する２つの金型のキャビティ面同士が直交しているが、図４に示すように、微視的には粗形材Ｈの面取り面ｂを成型するためのキャビティ面１２ｂを介して２つのキャビティ面１２ａと１４ａが交わっている。別言すると、金型セット１０は、フランジＦ（図１、図２参照）の端面と側面が直交するエッジを斜めにカットした形状に粗形材Ｈを成型するキャビティを有している。
【００２２】
この金型セット１０は、分割ラインと分割面の形態（コンフィグレーション）に特徴がある。以下、図４を参照して、この金型セット１０の分割ラインと分割面について、その決定手順に沿って説明する。
【００２３】
まず図４の符号を説明する。符号Ｈは、金型セット１０の鋳造対象である粗形材を示す。符号Ｇは、粗形材Ｈの仕上げ削り代を示す。符号ｃは粗形材Ｈの仕上げ面（仕上げ加工前であるから削り代部分Ｇを含んだときの表面）を示しており、符号ａは仕上げ面ｃに隣接する側面を示しており、符号ｂは仕上げ面ｃと側面ａの接合部（角部）に形成される面取り面（角部面取り面）を示している。符号１２ａは、上部スライド金型１２のキャビティ面のうち、粗形材Ｈの側面ａに対向する領域を示しており、符号１２ｂは、上部スライド金型１２のキャビティ面のうち、粗形材Ｈの角部面取り面ｂに対向するキャビティ面領域を示している。符号１４ａは固定金型１４のキャビティ面のうち、仕上げ面ｃに対向するキャビティ面領域を示している。符号ＰＬは、固定金型１４と上部スライド金型１２の分割ラインを示しており、符号ＰＳは固定金型１４と上部スライド金型１２の分割面を示している。符号１２ｃは、上部スライド金型１２側の分割面を示しており、符号１４ｃは固定金型１４側の分割面を示している。符号１２ｄは、上部スライド金型１２において、分割ラインＰＬを挟んでキャビティ面領域１２ｂと分割面１２ｃとが金型内部側にてなす角度を示しており、符号１４ｄは、固定金型１４において、分割ラインＰＬを挟んでキャビティ面領域１４ａと分割面１４ｃとが金型内部側にてなす角度を示している。符号Ｅは、キャビティ面のうち、仕上げ削り代部分Ｇを成型するためのキャビティ面領域を示している。符号Ｆは、仕上げ削り代部分Ｇの成型領域に対応するキャビティ面領域Ｅのうち、仕上げ削り代部分Ｇの角部面取り面に対向するキャビティ面領域を示している。
【００２４】
金型セット１０の分割ラインＰＬと分割面ＰＳの決定手順を説明する。まず、金型セット１０の鋳造対象である粗形材Ｈの仕上げ削り代部分Ｇを特定する。仕上げ削り代部分Ｇは、鋳造実施前、最終製品である継ぎ手とその中間製品である粗形材Ｈの設計時点で決定される。なお、その時点で、粗形材Ｈの角部面取り面ｂも決定される。
【００２５】
次に、削り代部分Ｇを成型するためのキャビティ面領域Ｅを特定する。キャビティ面領域Ｅは、粗形材Ｈの仕上げ面ｃに対向するキャビティ面領域１４ａと、角部面取り面ｂに対向するキャビティ面領域１２ｂのうち仕上げ削り代Ｇに対応する部分で構成される（符号Ｅが示す部分）。金型セット１０の分割ラインＰＬは、粗形材Ｈの仕上げ削り代部分Ｇの成型領域に対応する金型キャビティ面領域Ｅ内であり、かつ、粗形材Ｈの角部面取り面ｂを成型するための金型キャビティ面領域１２ｂの範囲、即ち、領域Ｅと領域１２ｂの重複部分Ｆに配置される。この実施例では、分割ラインＰＬは、重複部分Ｆのうち、角部面取り面ｂの端部に対応する位置に配置されている。
【００２６】
分割ラインＰＬを決定した後、分割面ＰＳを決定する。分割面ＰＳは、分割ラインＰＬで分割される夫々の金型（この場合は上部スライド金型１２と固定金型１４）において、金型分割ラインＰＬを挟んでキャビティ面と分割面とが金型内部側にてなす角度が９０度以上となるように決定される。金型分割ラインＰＬを挟んでキャビティ面と分割面とが金型内部側にてなす角度は、上部スライド金型１２においては角度１２ｄであり、固定金型１４においては角度１４ｄである。この実施例では、角度１２ｄは９０度以上となり、角度１４ｄは９０度である。なお、分割面ＰＳは、分割ラインＰＬの近傍で上記条件を満足していればよく、分割ラインＰＬから離れた位置では、上記条件を満足せずともよい。図４では、途中で上方に直角に折れている分割面ＰＳのうち、分割ラインＰＬから右方向に伸びている部分が上記条件を満足する。
【００２７】
図３の破線領域Ｂ、Ｄの部分においても上記手法と同様に分割ラインと分割面が決定される。なお、破線領域Ｄについては、湯道２６が形成されている部分を除いて、上記手法に基づいて分割ラインと分割面が決定される。
【００２８】
上記手法により、図４に示した特徴を有する分割ラインＰＬと分割面ＰＳを備える金型セット１０が実現する。こうして実現された金型セット１０は次の利点を有する。粗形材Ｈを成型する際、分割面に沿ってわずかに溶湯が浸入し、これが固化して鋳バリが発生する。即ち、鋳バリは、図４の分割ラインＰＬから分割面ＰＳに沿って発生する。図４から理解されるように、鋳バリは、仕上げ削り代部分Ｇの９０度より大きい角部（符号ＰＬが示す位置）から伸びる。仕上げ削り代部分Ｇは鋳造後に仕上げ加工により削り取られるので、このとき鋳バリも同時に除去される。従って鋳バリ除去の専用工程が不要となる。しかも、この鋳バリ発生位置は、角度が９０度よりも大きい角部であるので、かえりバリが発生し難い箇所である。そのような箇所から伸びる鋳バリがタネとなってかえりバリが成長することはほとんどない。
【００２９】
さらに、分割面ＰＳを決定する際の、分割ラインＰＬを挟んでキャビティ面と分割面とが金型内部側にてなす角度が９０度以上であるという条件は、図４から明らかな通り、分割ラインを稜線とする金型のエッジが直角以上となることを保証する。このことにより、エッジの強度が確保され、エッジが破損し難くなる。
【００３０】
次に、図５、６を参照して、金型セットの他の場所における分割ラインと分割面を説明する。図５は、図３のＶ−Ｖ線に沿った断面図であり、４個の金型、即ち、上部スライド金型１２、下部スライド金型１６、右スライド金型３０、及び、左スライド金型３２を示している。移動金型１８と固定金型１４は、図５の紙面手前と奥に位置するため図示されていない。図５に示されているいずれの金型も作動ロッド２８に支持されており、矢印方向に移動して金型が開く。図５の断面でみたとき、キャビティＣは矩形であり、４個の角部（VI、及びＪ）が形成される。図６は、破線領域VIの拡大図である。図５と図６を比較すると理解されるように、図５の断面でみたときのキャビティの角部は、巨視的には直角であるが（図５）、微視的には角部が斜めに落とされている（図６）。
【００３１】
図６の符号を説明する。符号Ｈは粗形材を示し、符号Ｇは粗形材Ｈの仕上げ削り代部分を示す。符号ｃは粗形材Ｈの仕上げ面（仕上げ加工前であるから削り代部分Ｇを含んだときの表面）を示しており、符号ａは仕上げ面ｃに隣接する側面を示しており、符号ｂは仕上げ面ｃと側面ａの接合部（角部）に形成される面取り面（角部面取り面）を示している。符号１２ｅは、上部スライド金型１２のキャビティ面のうち、粗形材Ｈの仕上げ面ｃに対向する領域を示している。符号３０ｅは、右スライド金型３０のキャビティ面のうち、粗形材Ｈの角部面取り面ｂに対向するキャビティ面領域を示している。符号ＰＬとＰＳは、上部スライド金型１２と右スライド金型３０の分割ラインと分割面を示している。符号１２ｆは、上部スライド金型１２側の分割面を示しており、符号３０ｆは右スライド金型３０側の分割面を示している。符号１２ｇは、上部スライド金型１２において、分割ラインＰＬを挟んでキャビティ面領域１２ｅと分割面１２ｆとが金型内部側にてなす角度を示しており、符号３０ｇは、右スライド金型３０において、分割ラインＰＬを挟んでキャビティ面領域３０ｅと分割面３０ｆとが金型内部側にてなす角度を示している。符号Ｅは、キャビティ面のうち、仕上げ削り代部分Ｇを成型するためのキャビティ面領域を示している。符号Ｆは、仕上げ削り代部分Ｇの成型領域に対応するキャビティ面領域Ｅのうち、仕上げ削り代部分Ｇの角部面取り面ｂに対向するキャビティ面領域を示している。
【００３２】
上部スライド金型１２と右スライド金型３０との間の分割ラインＰＬと分割面ＰＳの決定手順は、先に説明した上部スライド金型１２と固定金型１４との間における手順と同じである。即ち、分割ラインＰＬは、粗形材Ｈの仕上げ削り代部分Ｇの成型領域に対応するキャビティ面領域Ｅ内であり、かつ、粗形材Ｈの角部面取り面ｂに対向するキャビティ面領域３０ｅ内である範囲、即ち、キャビティ面領域Ｅと３０ｅの重複部分Ｆの範囲に決定される。図６の例では、分割ラインＰＬは、重複部分Ｆのうち、角部面取り面ｂの端部に相当する位置に決定されている。
【００３３】
次に、分割面ＰＳは、金型分割ラインＰＬを挟んでキャビティ面と分割面とが金型内部側にてなす角度（角度１２ｇと角度３０ｇ）が９０度以上となるように決定する。こうして、金型分割ラインＰＬと分割面ＰＳが決定される。そのような決定手順を経て、図６に示した特徴を有する金型セット１０が実現される。図６の断面における分割ラインと分割面も、図４で説明した利点を有することは明らかである。
【００３４】
次に、図７を参照して、図４で説明した分割ラインの変形例を説明する。図７の例では、粗形材Ｈの仕上げ削り代部分Ｇとこれに接する側面ａとの接合部が曲面状の面取り面ｂを構成している例である。この部分は、上部スライド金型１１２と固定金型１１４の合わせ目付近で成型される。分割ラインＰＬは、粗形材Ｈの仕上げ削り代部分Ｇの成型領域に対応するキャビティ面領域Ｅ内であり、かつ、粗形材Ｈの湾曲面取り面ｂを成型するためのキャビティ面領域１１２ｂ内の範囲、即ち、重複部分Ｆに配置される。より厳密には、湾曲面取り面ｂの端部に相当する位置に配置される。分割面ＰＳは、金型分割ラインＰＬを挟んでキャビティ面（１１２ｂ、１１４ａ）と分割面（１１２ｃ、１１４ｃ）とが金型内部側にてなす角度（図７の角度１１２ｄ、１１４ｄ）が、９０度以上となるように決定される。なお、図７の例では面取り面ｂが湾曲しているので、「金型分割ラインＰＬを挟んでキャビティ面と分割面とが金型内部側にてなす角度」は、湾曲しているキャビティ面１１２ｂの分割ラインＰＬにおける接線ＴＬと分割面１１２ｃとのなす角度に相当する。
【００３５】
図７が示す金型セット（上部スライド金型１１２と固定金型１１４を含む金型セット）も、上記した第１実施例の金型セットと同様の利点を有することは明らかである。
【００３６】
上記した金型セットを用いて成型された鋳造粗形材は次の利点を有する。そのような鋳造粗形材は、鋳バリを除去する専用の加工工程が不要であるので、低コストで最終製品を製造することに貢献する。
【００３７】
上記説明した金型セットでは、粗形材Ｈの仕上げ削り代部分Ｇの成型領域に対応するキャビティ面領域Ｅ内であり、かつ、仕上げ削り代部分Ｇの角部面取り面に対向するキャビティ面領域Ｅの範囲に金型分割ラインを配置した。角部面取り面は、仕上げ面とこれに略直角に交差する隣接側面とのエッジを落とした面に相当する。隣接側面が仕上げ面に対して元々直角以上の角度で交差する場合は、面取り面がない場合がある。例えば、図４の符号ｂが示す部分が、仕上げ面ｃに隣接する側面に相当する場合である。そのような場合では、分割ラインは、粗形材の仕上げ削り代部分であり、削り代部分の鈍角を有する角部（例えば図４において、符号ｂが示す側面と符号ｃが示す仕上げ面の交差位置）に相当するキャビティ面位置に配置すればよい。
【００３８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３９】
１０：金型セット（鋳造装置）
１２、１１２：上部スライド金型
１４、１１４：固定金型
１６：下部スライド金型
２８：作動ロッド
３０：右スライド金型
３２：左スライド金型
【図１】
2012071319.tif 000003
【図２】
2012071319.tif 000004
【図３】
2012071319.tif 000005
【図４】
2012071319.tif 000006
【図５】
2012071319.tif 000007
【図６】
2012071319.tif 000008
【図７】
2012071319.tif 000009